(57)【要約】  本発明は、電子機器のディスプレイに画像を表示する方法に関し、前記画像は、連続画像の１つの選択された画像である。当該方法は、少なくとも３つの画像を含む連続画像を撮像するステップと、連続画像から１つの画像を選択することによりメイン画像を定義するステップと、前記メイン画像の前に得られた少なくとも１つの画像を前画像として定義するステップと、定義された前記前画像および選択された前記メイン画像を順番に前記ディスプレイに表示するステップと、を含む。
2017516327.tif 000002
【特許請求の範囲】
【請求項１】
画像をディスプレイに表示する方法であって、前記画像は連続画像から選択された１つの画像であり、
ａ．少なくとも３つの画像を含む連続画像を撮像するステップと、
ｂ．連続画像から１つの画像を選択することによりメイン画像を定義するステップと、
ｃ．前記メイン画像の前に得られた少なくとも１つの画像を前画像として定義するステップと、
ｄ．定義された前記前画像および選択された前記メイン画像を順番に前記ディスプレイに表示するステップと、
を含む、方法。
【請求項２】
前記方法は、
ａ．前記メイン画像の後に得られた少なくとも１つの画像を後画像として定義するステップと、
ｂ．前記少なくとも１つの前画像および前記メイン画像を順番に表示した後に前記後画像を前記ディスプレイに表示するステップと、
をさらに含む、請求項１に記載の方法。
【請求項３】
定義された前記画像は２以上の画像を含み、
前記方法は、
ａ．前記２以上の前画像の視覚効果を生成するステップと、
ｂ．定義された前記メイン画像を表示する前に、少なくとも２以上の前記前画像を生成された前記視覚効果と共に表示するステップと、
をさらに含む、請求項１に記載の方法。
【請求項４】
前記後画像は２以上の画像を含み、
前記方法は、
ａ．前記２以上の後画像の視覚効果を生成するステップと、
ｂ．前記メイン画像の表示の後に、少なくとも２以上の前記後画像を生成された前記視覚効果と共に表示するステップと、
をさらに含む、請求項１に記載の方法。
【請求項５】
前記視覚効果は、
ａ．メイン画像で停止するまで、画像ごとに、２以上の前記前画像を各々の直後に表示することによりズームイン効果を作り出すステップを含む、請求項３に記載の方法。
【請求項６】
２以上の前記前画像を表示する割合は事前に定義される、請求項５に記載の方法。
【請求項７】
前記視覚効果は、
ａ．少なくとも１つの前記後画像の最初から、画像ごとに、２以上の前記後画像を各々の直後に表示することによりズームアウト効果を作り出すステップを含む、請求項４に記載の方法。
【請求項８】
２以上の前記後画像を表示する割合は事前に定義される、請求項７に記載の方法。
【請求項９】
前記メイン画像を表示する際にライト効果またはサウンド効果を追加するステップをさらに含む、請求項１に記載の方法。
【請求項１０】
前記連続画像は、連続ショットモードを用いて撮像される、請求項１に記載の方法。
【請求項１１】
前記連続画像は、タイムシフトモードを用いて撮像される、請求項１に記載の方法。
【請求項１２】
前記方法は、
ａ．前記メイン画像の前に得られた前記前画像を低解像度で記憶するステップと、
ｂ．前記メイン画像を高解像度で記憶するステップと、
をさらに含む、請求項１に記載の方法。
【請求項１３】
前記方法は、
ａ．前記メイン画像の後に得られた前記後画像を低解像度で記憶するステップをさらに含む、請求項２に記載の方法。
【発明の詳細な説明】
【技術分野】
【０００１】
本発明は、電子機器のディスプレイ上での画像提示のための方法に関する。特に、本開示は、ディスプレイに選択された画像を視覚効果と共に提示する方法を提供し、選択された画像は連続画像のうちの１つの画像である。
【背景技術】
【０００２】
近日、連続シーケンスで撮像された複数の画像は多様な方法で処理される。例えば、保存する画像を選択するために複数の画像がユーザに提示され得る。他の例では、複数の画像は単一の画像を形成するために結合または合成され得る。他の例では、連続シーケンスは、まばたき、腕の動きなどの動オブジェクトを含むシーンに利用され得る。動オブジェクトは識別され得て、ユーザは、連続画像の画像間の比較を通じた動オブジェクトの取り除きのように、画像を容易に調整することができる。
【０００３】
連続シーケンスの画像は、短時間に撮像された幾つかの画像またはフレームである。これは、画像撮像装置で連続モードまたはタイムシフトモードを選択し、ハードウェアボタン、すなわちシャッターボタンを押し、それを押した状態で待機または画像撮像ボタンを押すことにより、行われる。
【０００４】
それゆえ、連続モードまたはタイムシフトモードは、非常に特殊な場面を除いて利用されない一連の写真を生成する。
【発明の概要】
【０００５】
本開示は、上述した問題の少なくとも幾つかを克服し、連続撮像画像において別の方法では利用されないデータを利用すること、およびメイン画像のフル解像度のローディング時間を「隠す」ことが可能となる。例えば、メイン画像の前のフレームおよび後のフレームが、低解像度で記憶され、遷移期間中に使用され、メイン画像のみがフル解像度で表示され得る。
【０００６】
本開示のある観点によれば、ディスプレイに画像を表示する方法が提供され、上記画像は、連続画像の１つの選択された画像である。当該方法は、少なくとも３つの画像を含む連続画像を撮像するステップと、連続画像から１つの画像を選択することによりメイン画像を定義するステップと、前記メイン画像の前に得られた少なくとも１つの画像を前画像として定義するステップと、定義された前記前画像および選択された前記メイン画像を順番に前記ディスプレイに表示するステップと、を含む。ある例では、定義された前記画像は２以上の画像を含み、前記方法は、前記２以上の前画像の視覚効果を生成するステップと、定義された前記メイン画像を表示する前に、少なくとも２以上の前記前画像を生成された前記視覚効果と共に表示するステップと、を含む。ある例では、前記視覚効果は、メイン画像で停止するまで、画像ごとに、２以上の前記前画像を各々の直後に表示することによりズームイン効果を作り出すステップを含む。
【０００７】
ある例では、前記方法は、前記メイン画像を表示する際にライト効果またはサウンド効果を追加するステップをさらに含む。
【０００８】
本発明のある観点によれば、前記方法は、前記メイン画像の後に得られた少なくとも１つの画像を後画像として定義するステップと、前記少なくとも１つの前画像および前記メイン画像を順番に表示した後に前記後画像を前記ディスプレイに表示するステップと、をさらに含む。ある例では、前記後画像は２以上の画像を含み、前記方法は、前記２以上の後画像の視覚効果を生成するステップと、前記メイン画像の表示の後に、少なくとも２以上の前記後画像を生成された前記視覚効果と共に表示するステップと、をさらに含む。ある例では、前記視覚効果は、メイン画像１で停止するまで、画像ごとに、２以上の前記前画像を各々の直後に表示することによりズームイン効果を作り出すステップを含む。
【０００９】
本発明のある観点によれば、前記連続画像は、連続ショットモードを用いて撮像される。
【００１０】
本発明のある観点によれば、前記連続画像は、タイムシフトモードを用いて撮像される。
【００１１】
本発明のある観点によれば、前記方法は、前記メイン画像の前に得られた前記後画像と、前記メイン画像の後に得られた前記前画像を低解像度で記憶するステップと、前記メイン画像を高解像度で記憶するステップと、をさらに含む。このようなソリューションは、メイン画像のフル解像度の読込み時間を「隠す（hide」ために利用され得る。例えば、低解像度は遷移期間中に用いられ、最終的なフレームのみがフル解像度で表示され得る。
【００１２】
上述した実施形態はどのような組み合わせでも結合可能である。
【００１３】
本発明の幾つかの実施形態は、画像の連続ショットの撮像の際に別の方法では使用されないデータの利用方法を提供する。本発明は、これらの連続ショット画像を、アルバムまたは写真ビューワーアプリケーションにおける画像間のナビゲーションを改善および差別化するために利用する。本発明の幾つかの実施形態の利点は、画像間のスワイプ時にナビゲーションをより面白くかつ「豊か（rich）」にするために、特定の画像が表示される前にそれが「動き」を作り出せることである。画像間のスワイプ時、（シーケンスの中の）写真の前および後の幾つかのフレームが、特定の画像が表示される前にその「動き」を作り出すために利用される。
【図面の簡単な説明】
【００１４】
本発明のさらなる目的、特徴および利点は、以下の本発明の詳細な説明から明らかになるであろう。本発明の実施形態は、添付の図面を参照してより詳細に説明される。
【図１】図１は、電子機器、例えば本方法が実行される携帯電話のブロック図である。
【図２】図２は、本発明による連続画像の一例を示す。
【図３】図３は、本発明による電子機器における方法のフローチャートを示す。
【図４Ａ】図４Ａは、本発明による電子機器における方法のフローチャートを示す。
【図４Ｂ】図４Ｂは、本発明による電子機器における方法のフローチャートを示す。
【発明を実施するための形態】
【００１５】
本発明は、連続（バースト）ショットまたはタイムシフトモードの利用により得られた連続画像の全ての画像またはフレームを、アルバムまたはビューワーアプリケーションにおける写真間のナビゲーションを豊かおよび差別化するために利用することを可能とする。
【００１６】
連続画像は、短期間で撮像された複数の画像またはフレームである。これは、画像撮像装置で連続または継続ハイスピードモード、すなわち、連続モードまたはタイムシフトモードを選択し、ハードウェアボタン、すなわちシャッターボタンを押し、それを押した状態で待機または画像撮像ボタンを押すことにより、行われる。連続または継続ハイスピードモードは、静止画を撮像するときの撮像モードである。これは、複数の画像またはフレーム、連続画像、が短期間に撮像されることを可能とする。連続モードは、実際のＨＷまたは画像撮像ボタンが押された前および後に得られた範囲の写真からユーザがベストな写真を選択することを可能とする。タイムシフトモードは、同様な方法で、撮像ボタンが押された時に一連の写真を撮像することにより動作する。これらは例であり、現在存在する、または将来存在する他のモードもあり得る。
【００１７】
本発明の実施形態は、概して、電子装置の分野に関する。本発明は、例えば、携帯電話、ポケットベル、コミュニケーター（communicators）、腕輪または時計などのようなウェアラブル装置、スマートフォン、ラップトップコンピュータ、または電子手帳のような電子機器に適用可能である。本発明は、視覚インタフェースおよび無線ケイパビリティを有し、サーバまたは何かしらのタイプの外部メモリ／プロセッサリソースに接続可能な全ての電子機器に適用可能であり、適している。説明は、本発明の機能および特定のオブジェクトに関する要素にフォーカスされるが、他の要素は通常のものであってもよい。しかし、明確性および容易性の目的で、本明細書で説明される大部分の実施形態は携帯電話に関する。
【００１８】
本発明の実施形態は、以降に、本発明の実施形態が示される添付の図面を参照しながら、さらに十分に説明される。しかし、本発明は他の多くの形態で実施され得て、以降に説明される実施形態に限定されるものと解釈されるべきでない。むしろ、これらの実施形態は、徹底および完成し、本発明の範囲を当業者に十分に伝えられるように提供される。全体を通して、同じ参照符号は同じ要素を参照する。
【００１９】
これより、本発明はより詳細に説明される。図１に示された本発明のある観点によれば、電子機器は典型的には１０で図示される。電子機器１０は、以下では携帯電話と称される。しかし、上述したように、「携帯電話」への言及は、例えば上述したような他の多様な装置を含む。
【００２０】
携帯電話１０は、無線通信のための無線インタフェース１３、ケース（ハウジング）１６、スピーカ１７、マイクロフォン１８、ディスプレイ１５、例えば液晶ディスプレイ、発光ダイオードディスプレイまたは他のディスプレイ、オン／オフスイッチ１９、および、典型的には２０で示される複数のキーのような入力ユニットなどの、標準的な要素を有する。キーは、異なる各々の機能を有する複数のキーを含んでもよい。例えば、キーは、ナビゲーションキー、選択キーまたはいくつかの他のタイプのキーを含んでもよい。一例として、ナビゲーションキーは、ディスプレイ１５に表示される例えばアルバムまたは画像などのリストを、ディスプレイ１５のリストに表示された例えば画像などの１または２以上のアイテムを選択するためにスクロールするために用いられ得る。スピーカ１７、マイクロフォン１８、ディスプレイ１５およびキー２０は、携帯電話が一般的に利用される通常の方法、例えば、起動、電話コールを受信および／または応答、テキストメッセージの送信及び受信、インターネットまたは他のネットワークのようなネットワークを介した接続および多様な機能の実行、で利用され機能してもよい。これらは例であり、現在存在するまたは将来存在する他の利用もあり得る。携帯電話はさらにコントローラ回路１２を有する。コントローラ回路は本発明による方法を実行するように構成される。コントローラは、典型的にはその方法を実行するためのコンピュータコードを含むプロセッサである。しかし、その方法は、ハードウェア実装またはハードウェアとソフトウェアの組合わせであってもよい。
【００２１】
携帯電話は、画像を受信または撮像するように構成されたカメラ１４を含む。カメラ１４は、携帯電話において一般的に用いられるカメラと同一のタイプであってもよいし、他のカメラのタイプであってもよい。一例として、カメラ１４、ディスプレイ１５および画像撮像キー２０は、画像を撮像するために一般的な方法で用いられる。例えば、カメラ１４によるビューシーンが、ユーザがその画像を見て、画像を撮像して撮像画像をメモリ１１に格納するために画像撮像キーを要望通りに選択的に押す間にわたってディスプレイ１５に表示される。連続ショットまたはタイムシフトモードの設定はユーザによって選択され得る。その設定は、連続撮像長さ、連続撮像フレームレート、露出、ボタン押下に対する撮像開始時間オフセットおよび他の関連する設定を含んでもよい。ユーザは、また、全ての連続撮像設定についてデフォルトの設定を受け入れることにより連続撮像設定を選択してもよい。
【００２２】
本発明のある観点によれば、図２に示したように、携帯電話のカメラ１４で連続ショットまたはタイムシフトモードを選択することにより連続画像４が撮像され、携帯電話の画像アルバムに格納される。撮像された連続画像は、少なくとも２の画像、メイン画像１および少なくとも１つの追加フレーム２、３、好ましくは３つ以上の、メイン画像１の前の２および／または後の３を含んでもよい。
【００２３】
本発明のある観点によれば、画像のアルバムにおいて左右または前後にナビゲートすることによりユーザが全てのスクリーン画像の間でナビゲートしている時、メイン画像１の前の追加画像またはフレーム、前画像２は、メイン画像１で止まる前に、イントランジションまたはズームイン効果として再生される。前画像は、フレーム毎のアニメーションとして、特定のフレームレートで、メイン画像で止まるまで再生される。例えば、“Ease-in”/”Ease-out”タイミング技術が、なめらかでより自然な遷移効果を可能とするために適用され得る。よりリアルに動くアニメーションを作る方法は、それが動くところでレートを変えることである。アニメーションは、我々が生活する世界を模擬するので、それが誇張されたとさえしても、それが現実世界の動きに基づいているかのようにアニメーションの中の動きを感じることが重要である。我々の世界では、ある物が一定のレートで動くことは非常に稀である。例えば、ユーザが彼の腕を彼の頭の上に真っ直ぐ上げる時、アクションはたいていゆっくりはじまり、そして直ぐに加速する。これは、メイン画像１で止まる前に写真を活発化させる面白い視覚効果を生成する。これは、幾つかのフレームを用いることによりかすかに行われ得る、またはより多くのフレームを用いて誇張され得る。さらに、アニメーションを増強するためにライト効果が適用されてもよい。同様に、次の画像に行くとき、メイン画像が得られた後の追加画像、後画像３は、アウトトランジションまたはズームアウト効果として、次の画像が同じイントランジション効果を用いて表示される前に再生される。
【００２４】
本発明のある観点によれば、上述したものと同一の視覚効果が、アルバムオーバービューモードの画像をスワイプする時に利用される。視覚効果は、ズームイン／ズームアウト遷移のようなグリッドの再構成時、またはより多くの写真を見るためのスクロール時に画像を活発化させる。
【００２５】
本発明のある観点によれば、視覚効果は、メイン画像のフル解像度の読込み時間を「隠す（hide」ために利用され得る。例えば、低解像度の前画像および後画像は遷移期間中に用いられ、最終的なフレームのみがフル解像度で表示され得る。
【００２６】
「メイン写真」ごとの画像シーケンスの達成機能は、隠され、デフォルトでオンされてもよい。例えば、適合する写真を生成するために特別なモードになる必要はない。これは、各写真は３以上の画像のシーケンスからなることを意味するが、メイン画像を除くすべての写真はフル解像度で格納される必要が無いであろう。装置で写真をブラウズする時に利用されるだけの効果であり、このため、フル解像度の画像シーケンスを格納する場合と比較して幾らかのスペースが節約される。
【００２７】
電子装置のディスプレイ１５で画像を表示するために、電子装置１０すなわち携帯電話で実行される方法ステップを示す図３を根幹として、本方法がこれから説明される。上記画像は、連続画像から選択された１つの画像である。説明されるステップが相互に依存しない場合、これらのステップはどのような組み合わせで実行されてもよい。
【００２８】
ある観点によれば、本方法は、携帯電話が連続シリーズの画像またはストリーム画像を撮像することＳ１０により開始される。これは、携帯電話のユーザは連続モードまたはタイムシフトモードを用いて写真を撮ることを意味する。複数の画像は設定されたフレームレートで撮像されてもよい。例えば、画像はデフォルトのフレームレートで撮像されてもよい。他の例では、画像はユーザにより入力されたフレームレートで撮像されてもよい。ある例によれば、連続画像は少なくとも３つの画像を含む。画像が撮像された後、画像は処理され得る。例えば、撮像された連続画像はユーザに表示されてもよい。他の例では、連続画像は写真ギャラリーまたは写真アルバムにおいて一緒にグループ化されてもよく、ユーザは、撮像された連続画像の中の全ての画像を見るために連続画像を開くことが可能であってもよい。画像は、JPEG,TIFF,PNG,GIF,BMPまたは他の許容されるあらゆるフォーマットのように、いかなるフォーマットであってもよい。
【００２９】
第１のステップＳ１において、撮像された連続画像４の１つの画像を選択することによりメイン画像１が定義される。選択するステップのある観点では、Ｓ１１、連続画像において選択されたメイン画像の前に得られた画像は前画像２として定義される。選択するステップのある観点では、Ｓ１２、連続画像において選択されたメイン画像の後に得られた画像は後画像３として定義される。ある観点によれば、本方法は、携帯電話のメモリ１１に、前画像２および後画像３を低解像度で格納し、メイン画像１を高解像度で格納するステップをさらに含んでもよい。
【００３０】
第２のステップＳ２において、ユーザによりメイン画像が選択された場合、定義された画像が順番に表示される。
【００３１】
第３のステップにおいて、Ｓ３、定義された少なくとも１つの前画像２はディスプレイ１５に表示される。ある観点による少なくとも１つの前画像を表示するステップＳ３は、図４Ａに示すように、前画像は２以上の画像からなり、Ｓ３１、選択されたメイン画像１と関連付けられた２以上の前画像２に基づいて視覚効果を生成することを含む。視覚効果は、Ｓ３２、定義された前画像を表示することと共に携帯電話のディスプレイ手段によって表示される。ある観点による視覚効果を生成するステップは、連続画像の最初の前画像からはじまり、２以上の前画像を互いの直後に順番に表示し、結果イントランジションまたはズームイン効果を作り出すことを含む。ある観点による表示するステップは、少なくとも１つの前画像を表示するレートを事前定義することを含む。ある観点による表示するステップは、前画像または前画像のシーケンスを表示する時にライト効果またはサウンド効果を追加することを含む。
【００３２】
第４のステップＳ４において、携帯電話のディスプレイに前画像が表示された後に、順番でメイン画像が表示される。メイン画像は、携帯電話のユーザが他の画像または他のビューへ変更することを決定するまでディスプレイに表示される。ある観点による表示するステップは、メイン画像の表示時にライト効果またはサウンド効果を追加することを含む。
【００３３】
第５のステップＳ５において、選択されたメイン画像の表示を中止することをユーザが決定し、ユーザが他の画像またはビューを選択した場合、携帯電話のディスプレイに少なくとも１つの後画像２が表示される。ある観点による少なくとも１つの後画像２を表示するステップは、図４Ｂに示したように、後画像が２以上の画像からなり、Ｓ５１、２以上の後画像の視覚効果を作り出し、Ｓ５２、メイン画像の表示の後に２以上の後画像３を視覚効果と共に表示することを含む。ある観点による視覚効果を作り出すステップは、連続画像の最初の後画像からはじまり、２以上の後画像を互いの直後に順番に表示し、結果アウトトランジションまたはズームアウト効果を作り出すことを含む。ある観点による表示するステップは、少なくとも１つの後画像を表示するレートを事前定義することを含む。ある観点による表示するステップは、後画像または後画像のシーケンスを表示する時にライト効果またはサウンド効果を追加することを含む。
【００３４】
ここで使用された用語は特定の実施形態を説明する目的のためのみであり、本発明を制限することは意図されない。ここで使用されたように、単数形"a","an"および"the"は、そうでないという明確に示すコンテキストが無い限り、複数形も含む。さらに、「備える」、および／または「含む」の単語は、ここで使用された場合、述べられた特徴、整数、ステップ、動作、要素および／またはコンポーネントの存在を特定するが、他の特徴、整数、ステップ、動作、要素、コンポーネントおよび／またはそれらのグループの存在又は追加を除外しないことに理解されたい。
【００３５】
特段の定義が無い限り、ここで使用される全ての単語（技術的および科学的単語を含む）は、本発明が属する分野の通常のスキルを有する者によって一般に理解されるものと同一の意味を有する。さらに、ここで使用される用語は、本明細書および関連分野のコンテキストにおいてそれらの意味が調和する意味を有すると解釈されるべきであり、ここで明確に定義されない限り、理想的なまたは過度に正式な意味で解釈されるべきでないことに理解されたい。
【００３６】
ここまで、本発明の本質、好適な実施形態および動作モードを参照して説明した。しかし、本発明は、限定でなく実例として見られるべきであり、上述した特定の実施形態に限定されない。本発明の多様な実施形態の異なる特徴は、明示的に示した以外の組合わせで結合されてもよい。したがって、以降の請求項によって定義された本発明の範囲から離れずにそれらの実施形態において当業者によってバリエーションが作られ得ることに理解されたい。
【図１】
2017516327.tif 000003
【図２】
2017516327.tif 000004
【図３】
2017516327.tif 000005
【図４Ａ】
2017516327.tif 000006
【図４Ｂ】
2017516327.tif 000007
【国際調査報告】
2017516327.tif 000008
2017516327.tif 000009
2017516327.tif 000010